(57)【要約】【課題】コンテンツの出力態様をユーザニーズに応じて多様化することのできるコンテンツ配信管理装置を提供する。【解決手段】コンテンツ配信管理装置の処理装置１０２は、第１の出力装置に関連付けて第２の出力装置を記憶するための対応出力装置記憶部１７と、第１の出力装置から指定されたコンテンツより、サブコンテンツを得るためのサブコンテンツ抽出／生成部１３と、サブコンテンツを、第２の出力装置に対して出力するためのサブコンテンツ出力部１５とを備える。【選択図】図３
2014045413.tif 000002
【特許請求の範囲】
【請求項１】
コンテンツ再生装置で処理されたコンテンツの、第１の出力装置および第２の出力装置に対する配信を管理するためのコンテンツ配信管理装置であって、
前記第１の出力装置に関連付けて前記第２の出力装置を記憶するための記憶手段と、
前記第１の出力装置から指定されたコンテンツより、サブコンテンツを得るための取得手段と、
前記サブコンテンツを、前記第２の出力装置に対して出力するための出力手段とを備える、コンテンツ配信管理装置。
【請求項２】
前記サブコンテンツは、前記第１の出力装置から指定されたコンテンツに含まれるサブチャンネル用のコンテンツ、または、前記指定されたコンテンツに含まれる指示に従って生成されるコンテンツである、請求項１に記載のコンテンツ配信管理装置。
【請求項３】
前記第２の出力装置との間で同期信号を送受することで、前記第２の出力装置に、前記第１の出力装置における前記コンテンツの再生と同期して、前記サブコンテンツを再生させる、請求項１または２に記載のコンテンツ配信管理装置。
【請求項４】
前記取得手段で取得したサブコンテンツを、前記第２の出力装置に対応したデータ形式に整形するための生成手段をさらに備える、請求項１〜３のいずれかに記載のコンテンツ配信管理装置。
【請求項５】
前記第２の出力装置からユーザ操作を受信し、前記第２の出力装置からの前記ユーザ操作に従って、前記サブコンテンツを切り替える、請求項１〜４のいずれかに記載のコンテンツ配信管理装置。
【請求項６】
請求項１〜５のいずれかに記載のコンテンツ配信管理装置と、
コンテンツ再生可能な第１の出力装置および第２の出力装置とを備える、コンテンツ出力システム。
【請求項７】
出力装置にコンテンツを配信する方法であって、
第１の出力装置から再生するコンテンツの指定を受け付けるステップと、
前記再生するコンテンツより、サブコンテンツを得るステップと、
前記第１の出力装置に前記コンテンツを配信するステップと、
前記第１の出力装置に関連付けて記憶されている第２の出力装置に前記サブコンテンツを配信するステップとを備える、コンテンツ配信方法。
【請求項８】
コンピュータに、コンテンツの配信管理を実行させるためのプログラムであって、
第１の出力装置から再生するコンテンツの指定を受け付けるステップと、
前記再生するコンテンツより、サブコンテンツを得るステップと、
前記第１の出力装置に前記コンテンツを配信するステップと、
前記第１の出力装置に関連付けて記憶されている第２の出力装置に前記サブコンテンツを配信するステップとを前記コンピュータに実行させる、コンテンツ配信プログラム。
【発明の詳細な説明】
【技術分野】
【０００１】
この発明はコンテンツ配信管理装置、コンテンツ出力システム、コンテンツ配信方法、およびコンテンツ配信プログラムに関し、特に、複数の出力装置にコンテンツを配信して出力するコンテンツ配信管理装置、コンテンツ出力システム、コンテンツ配信方法、およびコンテンツ配信プログラムに関する。
【背景技術】
【０００２】
一般家庭で視聴される、放送や流通するソフトなどのコンテンツが、高画質高音質化、多チャンネル化（フルハイビジョン画質、５．１チャンネル、７．１チャンネル、…、多重言語、マルチアングル、等）している。
【０００３】
コンテンツの高度化に伴って、家庭用のオーディオシステムも普及、充実している。
たとえば、特開２０１０−２３３０２０号公報（以下、特許文献１）は、第１の情報端末が、ユーザ指示に従って受信情報から第１情報を取得して情報管理端末に伝送し、情報管理端末が第１情報に適合する第２情報をデータベースから検索して第２情報に関連する第３情報を第１の情報端末に関連付けられた第２の情報端末に配信し、第２の情報端末が第３情報を元にしてＷＥＢなどから第１情報に関する詳細情報を取得することで、コマーシャルなどに関連する情報を簡易な手法で取得して直ちに利用することができ、また、ライブ放送番組に限らず、録画された番組にも適用できる情報提供システムを提案している。
【０００４】
また、特開２００９−２４６５７０号公報（以下、特許文献２）は、携帯電話装置が、テレビ放送のチャンネルを操作に応じて選択するテンキースイッチと、通常受信モード、２系統受信モード等が表示部に表示された状態において、操作に応じて１つのモードを決定する決定スイッチと、２系統受信モードが決定された場合には、カーソルスイッチとの操作に応じて選択されたチャンネルのテレビ放送を受信してそのテレビ放送の画面を表示部に表示し、テンキースイッチの操作に応じて外部のテレビ受信装置が受信するテレビ放送のチャンネルを選択するための赤外線信号を赤外線通信部から送信させることで、表示画面が大きい固定型のテレビ受信装置に対する高精細・高画質のテレビ放送と、携帯端末装置に対するテレビ放送とを同時に利用して利便性の高い視聴を享受する携帯端末装置を提案している。
【０００５】
また、特開２００８−７２４２０号公報（以下、特許文献３）や特開２０１１−１９３５１５号公報（以下、特許文献４）は、携帯電話装置が、テレビ放送の受信時に外部出力装置が装置本体に接続されているかを判別し、外部出力装置が接続されている場合には、テレビ受信出力機能、録画再生機能のうちその何れか一方の機能によって得られた映像を当該外部出力装置から逐次表示させる他、他方の機能によって得られた映像を装置本体側のメイン表示部（携帯画面）から逐次表示させることで、装置本体側の表示部と装置本体に接続された外部出力装置によって第１の映像と第２の映像との同時出力を実現できるようにする装置を提案している。
【０００６】
また、特開２００８−６１０６６号公報（以下、特許文献５）は、監視装置が、複数箇所に設置されたカメラにより撮影された動画像データをそれぞれ含む、複数の監視データを受信し、受信した複数の前記監視データを記憶し、記憶した複数の前記監視データの時間変化の評価に基づき、当該監視データのうち少なくとも１を選択し、選択した前記監視データに含まれる前記動画像データを再生表示することで、複数の監視画像を録画すると共に、その時に異常があると認められる監視画像を自動的に選択して表示する監視システムを提案している。
【０００７】
また、特開２００７−３７０７０号公報（以下、特許文献６）は、ＴＶ番組受信・送出装置と、Ｗｅｂ管理サーバと、Ｗｅｂデータを重畳・分離するケーブルモデムと、ＴＶ番組受信・送出装置の受信制御と所定のチャンネルへの送出制御を行なうＴＶ番組配信サーバとＷｅｂ番組の読出と配信制御、Ｗｅｂ番組の受信転送制御などを行なうＷｅｂ番組制御サーバとＷｅｂ番組の送出制御、顧客データ管理、顧客ログ管理などを行なうコンテンツ管理サーバと受信端末の操作データ受信、種別判定、各種サーバへの振分制御、などを行なう端末受信サーバとＴＶ番組データ、Ｗｅｂ番組データ、ＴＶ番組タイムテーブル、Ｗｅｂ番組タイムテーブルなどを記憶するデータベースサーバと構内通信回線からなるＷｅｂ番組配信装置と、で構成することで、ＴＶ番組配と連携したＷｅｂ番組を同期して送出し、顧客に新たな番組サービスを提供できるＣＡＴＶにおけるＷＥＢ番組の配信システムを提案している。
【０００８】
また、特開２０１２−１２０２０７号公報（以下、特許文献７）は、遠隔パーソナルＴＶサービス・センタが集中プログラム・ガイド情報を提供し、ユーザが、パーソナルＴＶサービス・センタと接続されているディジタル・ビデオ・レコーダを通じて、または、遠隔コンピュータ端末またはパーソナル・ディジタル・アシスタントを通じて、そのパーソナルＴＶサービス・センタにアクセして、プログラム・イベントを選択し、ディジタル・ビデオ・レコーダにインストールされたグラフィカル・ユーザ・インターフェース、または、遠隔ユーザへ表示されるウェブ・ページ内に組み込まれている同様のＧＵＩを用いて、ディジタル・ビデオ・レコーダをプログラムすることで、ユーザがどこにいようとも自身のＤＶＲに番組設定することを可能とする通信システムを提案している。
【０００９】
また、特開２０１０−１４８１１６号公報（以下、特許文献８）は、ネットワークメディアシステムが、互いに接続された第１のサーバおよび第１のクライアントを含む第１のハブネットワークと、互いに接続された第２のサーバおよび第２のクライアントを含み、第１のハブネットワークに重複する第２のハブネットワークとを備え、第１のクライアントは、第１のハブネットワークに拘束された第１のコンテンツを保存すると共に、第２のハブネットワークに拘束された第２のコンテンツを保存することで、ネットワーク環境においてデバイスおよびコンテンツを管理する方法および装置を提案している。
【００１０】
また、特開２０１０−１１４８０８号公報（以下、特許文献９）は、音声コメント配信共有システムが、動画を再生する機能を有する端末装置と、該端末装置から送信された動画に関する情報を受信し、該端末装置に該動画を識別する動画識別符号を送信する動画識別符号配信サーバと、前記端末装置から送信された動画識別符号を受信し、該端末装置に該動画識別符号に関連する音声コメントを送信する音声コメント配信サーバと、を有することで、複数の端末装置の間で音声コメントの配信を共有する方法を提案している。
【００１１】
また、特開２００９−２６０８５９号公報（以下、特許文献１０）は、映像サービス用サーバの複数のＡＶコンテンツの映像データは伝送路に送出され、変調器、送信器を経由して地上波デジタルテレビジョン放送波として携帯端末へ送信され、乗客が携帯端末でこの放送波を受信し、見たいチャンネルを選択して映像を見、コントローラを操作して、映像に付属した音声のチャンネルを選択すると、映像サービス用サーバから伝送路に送出された音声データは座席端末を経由してヘッドホンで音声として出力され、乗客がこの音声を聴取することで、航空機等の旅客移動体内の複数の座席に、ネットワーク伝送路を通じて映画やスポーツなどを配信するＡＶコンテンツ提供システムにおいて、乗客が持ち込んだ携帯端末の利用を可能にする方法を提案している。
【先行技術文献】
【特許文献】
【００１２】
【特許文献１】特開２０１０−２３３０２０号公報
【特許文献２】特開２００９−２４６５７０号公報
【特許文献３】特開２００８−７２４２０号公報
【特許文献４】特開２０１１−１９３５１５号公報
【特許文献５】特開２００８−６１０６６号公報
【特許文献６】特開２００７−３７０７０号公報
【特許文献７】特開２０１２−１２０２０７号公報
【特許文献８】特開２０１０−１４８１１６号公報
【特許文献９】特開２０１０−１１４８０８号公報
【特許文献１０】特開２００９−２６０８５９号公報
【発明の概要】
【発明が解決しようとする課題】
【００１３】
しかしながら、家庭など民生用での視聴環境は、選択した単一のチャンネルや同一の音源をスピーカまたはイヤホンによって複数人で視聴する環境が通常である。そのため、たとえば、日本語チャンネルと英語チャンネルとを独立して同時に視聴するような、同一のコンテンツを同時に再生しながらユーザのニーズに応じて異なる態様で出力し分けることが難しい、という問題があった。
【００１４】
また、ゲームコントローラなどの普及によりインタラクティブ性の高いコンテンツが増加しているものの、それらの視聴環境は、基本的に画面の前、または部屋の特定の場所においたコントローラのある場所に限定されており、任意の位置で最適な視聴を得ることが難しい、という問題があった。
【００１５】
本発明はこのような問題に鑑みてなされたものであって、コンテンツの出力態様をユーザニーズに応じて多様化することのできるコンテンツ配信管理装置、コンテンツ出力システム、コンテンツ配信方法、およびコンテンツ配信プログラムを提供することを目的としている。
【課題を解決するための手段】
【００１６】
上記目的を達成するために、本発明のある局面に従うと、コンテンツ配信管理装置は、コンテンツ再生装置で処理されたコンテンツの、第１の出力装置および第２の出力装置に対する配信を管理するためのコンテンツ配信管理装置であって、第１の出力装置に関連付けて第２の出力装置を記憶するための記憶手段と、第１の出力装置から指定されたコンテンツより、サブコンテンツを得るための取得手段と、サブコンテンツを、第２の出力装置に対して出力するための出力手段とを備える。
【００１７】
好ましくは、サブコンテンツは、第１の出力装置から指定されたコンテンツに含まれるサブチャンネル用のコンテンツ、または、指定されたコンテンツに含まれる指示に従って生成されるコンテンツである。
【００１８】
好ましくは、コンテンツ配信管理装置は、第２の出力装置との間で同期信号を送受することで、第２の出力装置に、第１の出力装置におけるコンテンツの再生と同期して、サブコンテンツを再生させる。
【００１９】
好ましくは、コンテンツ配信管理装置は、第取得手段で取得したサブコンテンツを、第２の出力装置に対応したデータ形式に整形するための生成手段をさらに備える。
【００２０】
好ましくは、コンテンツ配信管理装置は、第２の出力装置からユーザ操作を受信し、第２の出力装置からのユーザ操作に従って、サブコンテンツを切り替える。
【００２１】
本発明の他の局面に従うと、コンテンツ出力システムは、上記コンテンツ配信管理装置とコンテンツ再生可能な第１の出力装置および第２の出力装置とを備える。
【００２２】
本発明のさらに他の局面に従うと、コンテンツ配信は出力装置にコンテンツを配信する方法であって、第１の出力装置から再生するコンテンツの指定を受け付けるステップと、再生するコンテンツより、サブコンテンツを得るステップと、第１の出力装置にコンテンツを配信するステップと、第１の出力装置に関連付けて記憶されている第２の出力装置にサブコンテンツを配信するステップとを備える。
【００２３】
本発明のさらに他の局面に従うと、コンテンツ配信プログラムはコンピュータにコンテンツの配信管理を実行させるためのプログラムであって、第１の出力装置から再生するコンテンツの指定を受け付けるステップと、再生するコンテンツより、サブコンテンツを得るステップと、第１の出力装置にコンテンツを配信するステップと、第１の出力装置に関連付けて記憶されている第２の出力装置にサブコンテンツを配信するステップとをコンピュータに実行させる。
【発明の効果】
【００２４】
この発明によると、コンテンツの出力態様を、ユーザニーズに応じて多様化することができる。
【図面の簡単な説明】
【００２５】
【図１】実施の形態にかかるコンテンツ出力システムの構成と、各装置の構成との具体例を示す図である。
【図２】実施の形態にかかるコンテンツ出力システムでの動作の流れを表わした図である。
【図３】コンテンツ出力システムに含まれるコンテンツ配信装置の機能構成の具体例を示すブロック図である。
【図４】コンテンツ配信装置での動作の流れを表わすフローチャートである。
【発明を実施するための形態】
【００２６】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００２７】
＜システム構成＞
図１は、本実施の形態にかかるコンテンツ出力システムの構成と、各装置の構成との具体例を示す図である。
【００２８】
図１を参照して、コンテンツ出力システムは、コンテンツ配信管理装置を搭載した、コンテンツの配信元であるコンテンツ配信装置１００と、第１の出力装置２００と、第２の出力装置３００とを含む。コンテンツ配信装置１００は第１の出力装置２００および第２の出力装置３００とそれぞれ電気的に接続されて、通信可能である。コンテンツ配信装置１００と第２の出力装置３００とはＷｉＦｉ（Wireless  Fidelity）（登録商標）やｂｌｕｅｔｏｏｔｈ（登録商標）などの無線通信を行なう。
【００２９】
コンテンツ配信装置１００は、コンテンツ配信管理装置を搭載した、ＤＶＤ（Digital  Versatile  Disk）プレイヤなどの再生装置であって、記録されたコンテンツを処理する機能と、コンテンツ配信管理装置の機能としての接続された機器へのコンテンツの送信を管理する機能とを有する。以降の例では、コンテンツ再生装置とコンテンツ配信管理装置とがコンテンツ配信装置１００として１体の装置で構成されているものとするが、もちろん、コンテンツ配信管理装置はコンテンツ再生装置と別体で構成されてもよい。この場合、コンテンツ配信管理装置は、有線または無線通信でコンテンツ再生装置と接続されて、コンテンツ再生装置でのコンテンツデータの処理および配信を制御する。
【００３０】
第１の出力装置２００は、コンテンツ配信装置１００に対してメインの出力装置であって、たとえばテレビジョン受像機などが該当する。
【００３１】
第２の出力装置３００は、コンテンツ配信装置１００に対してサブの出力装置であって、たとえば携帯端末などが該当する。携帯端末としては、たとえば、携帯電話機や小型ＰＣ（パーソナルコンピュータ）、ゲーム機や文書閲覧装置などが該当する。
【００３２】
さらに図１を参照して、コンテンツ配信装置１００は、コンテンツを記憶し、読み出すための、コンテンツ記憶・読出装置１０１と、図示しないＣＰＵ（Central  Processing  Unit）を含み、蓄積されたデータから映像や音声を分離したり、圧縮された映像を復号したりする処理やコンテンツの出力管理を行なうための、コンテンツ配信管理装置としての処理装置１０２と、ＨＤＭＩ（High-Definition  Multimedia  Interface）やＤ端子などの、メインの出力装置である第１の出力装置２００に対して情報を出力するための映像・音声出力インターフェース１０３と、サブの出力装置である第２の出力装置３００に対して情報を出力するための外部機器通信インターフェース１０４とを含む。
【００３３】
コンテンツ記憶・読出装置１０１は、ＢＤ（Blu-ray  Disc）ドライブやＨＤ（Hard  Disk）ドライブなどの蓄積されたデータを読み出すものであってもよいし、地上デジタル放送用チューナのようにリアルタイムに放送波からＴＳ（Transport  Stream）データを読み出すものであってもよい。
【００３４】
外部機器通信インターフェース１０４は、第２の出力装置３００と無線通信を行なうためのインターフェースであって、ＷｉＦｉ（登録商標）やｂｌｕｅｔｏｏｔｈ（登録商標）などの無線通信を行なうためのインターフェースである。
【００３５】
メインの出力装置である第１の出力装置２００は、ＨＤＭＩなどの、コンテンツ配信装置１００から送信されるデータを受信するためのインターフェースである映像音声入力インターフェース２０１と、図示しないＣＰＵを含み、入力された映像を出力可能な状態にする処理等を行なうための処理装置２０２と、液晶ディスプレイなどの表示部２０３と、スピーカなどの音声出力部２０４とを含む。
【００３６】
サブの出力装置である第２の出力装置３００は、コンテンツ配信装置１００から送信されるデータを受信するためのインターフェースである外部機器通信インターフェース３０１と、コンテンツ配信装置１００から受信したデータを復号して出力可能な形式に変換する処理等を行なうための処理装置３０２と、ディスプレイなどの表示部３０３と、スピーカや接続されたイヤホンなどの音声出力部３０４とを含む。
【００３７】
処理装置３０２は、コンテンツ配信装置１００から受信したデータに基づいて出力可能な形式のデータを生成してもよい。
【００３８】
＜動作概要＞
図２は、本実施の形態にかかるコンテンツ出力システムでの動作の流れを表わした図である。
【００３９】
まず、前提として、コンテンツ配信装置は、予め、メインの出力装置である第１の出力装置に関連付けてサブの出力装置である第２の出力装置を記憶しておく。この関連付けは、コンテンツ出力システムでの動作に先だって行なわれてもよいし、動作中に行なわれてもよい。
【００４０】
図２を参照して、コンテンツ配信装置は、第１の出力装置へのコンテンツの配信を開始する際に（ステップＳ１）、コンテンツデータから第２の出力装置用のサブコンテンツを抽出し（ステップＳ２）、第１の出力装置へのコンテンツデータの出力（ステップＳ３）と共に第２の出力装置にサブコンテンツデータを出力する（ステップＳ４）。上記ステップＳ２では、コンテンツ配信装置は、コンテンツデータからサブコンテンツを作成してもよい。したがって、ここでの動作は、コンテンツデータからサブコンテンツを取得する動作とも言える。
【００４１】
サブコンテンツとは、コンテンツデータにメインのコンテンツと関連付けてサブチャンネル向けに格納されているコンテンツ、または、コンテンツデータに内包された指示により逐次的にメインのコンテンツから生成されるコンテンツを指す。サブコンテンツとしては、たとえば、コンテンツの一部の音源などが挙げられる。
【００４２】
第１の出力装置および第２の出力装置は、それぞれ、配信されたコンテンツを再生して、画像や音声を出力する（ステップＳ５、Ｓ６）。
【００４３】
コンテンツ配信装置は、第２の出力装置にサブコンテンツを配信する際に、第２の出力装置との間で同期信号をやり取りする（ステップＳ７）。これにより、第２の出力装置は第１の出力装置と同期を保ちながらサブコンテンツを再生する。
【００４４】
なお、第２の出力装置に対してユーザから何らかの操作がなされた場合、第２の出力装置は操作信号をコンテンツ配信装置に伝える。コンテンツ配信装置は、その指示に従って第２の出力装置に送信するサブコンテンツを切り替えたり、生成するサブコンテンツの内容を変更したりする。
【００４５】
＜機能構成＞
図３は、上記動作を行なうためのコンテンツ配信装置１００の機能構成の具体例を示すブロック図である。図３の各機能は、コンテンツ配信装置１００に含まれる処理装置１０２内の、図示しないＣＰＵが、処理装置１０２に含まれるＲＯＭ（Read  Only  Memory）等のメモリから記憶されているプログラムを読み出して実行することで、主に、ＣＰＵ上に形成されるものである。しかしながら、少なくとも一部が図１に示されたハードウェア構成によって実現されてもよい。
【００４６】
図３を参照して、コンテンツ配信装置１００の処理装置１０２は、映像・音声出力インターフェース１０３を介して第１の出力装置２００からコンテンツ再生の指示の入力を受け付けるための再生指示入力部１１と、記憶装置から読み出したコンテンツ記憶・読出装置より指定されたコンテンツのコンテンツデータの入力を受け付けるためのコンテンツデータ入力部１２と、該コンテンツデータからサブコンテンツを抽出または生成することでサブコンテンツを取得するためのサブコンテンツ抽出／生成部１３と、抽出または生成されたデータを第２の出力装置３００に送信可能な形式のデータに整形することでサブコンテンツを生成するためのサブコンテンツ生成部１４と、該サブコンテンツを外部機器通信インターフェース１０４を介して第２の出力装置３００に送信するためのサブコンテンツ出力部１５と、外部機器通信インターフェース１０４を介して第２の出力装置３００と同期信号をやり取りするための同期信号送受信部１６と、第１の出力装置２００に関連付けられた第２の出力装置３００を記憶しておくための対応出力装置記憶部１７とを含む。
【００４７】
対応出力装置記憶部１７はコンテンツの再生の指示よりも先に、予め第１の出力装置２００に関連付けられた第２の出力装置３００を記憶しておいてもよいし、たとえばウィーザードによって関連付けの指示を受け付けるなどして、コンテンツの再生の指示の後に第１の出力装置２００に関連付けられた第２の出力装置３００を記憶してもよい。
【００４８】
＜動作フロー＞
図４は、コンテンツ配信装置１００での動作の流れを表わすフローチャートである。図４のフローチャートに表わされた動作は、コンテンツ配信装置１００に含まれる処理装置１０２内の、図示しないＣＰＵが、処理装置１０２に含まれるＲＯＭ等のメモリから記憶されているプログラムを読み出して実行し、図３の各機能を発揮させることによって実現される。
【００４９】
図４を参照して、処理装置１０２は、メインの出力装置である第１の出力装置２００からコンテンツ再生の指示を受け付けると（ステップＳ１０１でＹＥＳ）、そのコンテンツのコンテンツデータにサブコンテンツが含まれているか否かを確認する。ここでのサブコンテンツとは、コンテンツデータにサブチャンネル向けに格納されているコンテンツであってもよいし、サブコンテンツを生成するための指示であってもよい。
【００５０】
指示されたコンテンツのコンテンツデータにサブコンテンツが含まれている場合（ステップＳ１０３でＹＥＳ）、処理装置１０２は、さらに、第１の出力装置２００に関連付けられたサブの出力装置である第２の出力装置３００が記憶されているか否かを確認する。このとき、処理装置１０２は、コンテンツの再生の指示があった時点で第２の出力装置３００が記憶されている場合だけでなく、該指示の後、たとえばウィーザードによって関連付けの指示を受け付けるなどして新たに第２の出力装置３００が登録された場合も、第１の出力装置２００に関連付けられた第２の出力装置３００が記憶されていると判断する。
【００５１】
第２の出力装置３００が記憶されている場合（ステップＳ１０５でＹＥＳ）、処理装置１０２は指示されたコンテンツのコンテンツデータからサブコンテンツを抽出する（ステップＳ１０７）。ここでは、処理装置１０２は、コンテンツデータに含まれる指示に従って、逐次的にサブコンテンツを生成する処理を行なってもよい。
【００５２】
そして、処理装置１０２は、サブコンテンツを、第２の出力装置３００に送信可能な形式のデータに整形し（ステップＳ１０９）、第２の出力装置３００に対して送信する（ステップＳ１１１）。また、処理装置１０２は、第２の出力装置３００と同期信号のやり取りを行なう（ステップＳ１１３）。
【００５３】
また、処理装置１０２は、第１の出力装置２００に対して指示されたコンテンツ（メインコンテンツ）を送信する（ステップＳ１１５）。
【００５４】
以上の動作において、処理装置１０２は、指示されたコンテンツにサブコンテンツが含まれていない場合（ステップＳ１０３でＮＯ）、または、第１の出力装置２００に関連付けられた第２の出力装置３００が記憶されていない場合（ステップＳ１０５）には、サブコンテンツに関する処理はスキップして、第１の出力装置２００に対して指示されたコンテンツを送信する（ステップＳ１１５）。この動作は、通常のコンテンツの配信動作と同様である。
【００５５】
第２の出力装置３００は、上記動作によってコンテンツ配信装置１００から送信されたサブコンテンツを、コンテンツ配信装置１００との同期信号のやり取りに応じて、第１の出力装置２００での再生と同期させて再生する。そして、サブコンテンツの再生データが終了すると、サブコンテンツの再生を終了する。
【００５６】
＜変形例＞
以上の例では、メインの出力装置である第１の出力装置２００に対してサブの出力装置が第２の出力装置３００のみ関連付けられている例が示されている。
【００５７】
しかしながら、サブの出力装置は第１の出力装置２００に対して複数台、関連付けられてもよい。
【００５８】
さらに、この場合、コンテンツ配信装置１００は、サブの出力装置ごとに対応したサブコンテンツを抽出／生成して配信するようにしてもよい。これは、コンテンツデータに格納されるサブコンテンツまたは内包される指示に基づいて作成されるサブコンテンツに、予め、対応する出力装置を特定する情報が含まれ、それに基づいて、コンテンツ配信装置１００が適したサブの出力装置にサブコンテンツを配信することで実現されてもよいし、コンテンツ配信装置１００がコンテンツデータから抽出／生成されたサブコンテンツを、該当するサブの出力装置ごとに応じたデータ形式に整形することで実現されてもよい。
【００５９】
＜実施の形態の効果＞
本実施の形態にかかるコンテンツ出力システムにおいて上記動作が行なわれることで、たとえば、コンテンツ出力システムは、母国語やネイティブ言語が異なる複数人でコンテンツを共有して視聴する際に、各々の言語に沿った音声・字幕をグラス型ディスプレイやスピーカなどで投影・再生させる、などのコンテンツの出力方法を実現することができる。これにより、各ユーザは、言語の違いを感じることなく同時に同一のコンテンツを享受することができる。
【００６０】
またたとえば、コンテンツ出力システムは、観客参加型アトラクションなどで、メインコンテンツに同期させてそれぞれの参加者の携帯端末に対して異なる映像・音声を出力させることができる。これにより、各参加者は、ゲーム性が高まり、よりインタラクティブ性の高いコンテンツを享受することができる。
【００６１】
またたとえば、コンテンツ出力システムは、美術館などの見学施設において、各展示品や紹介ビデオなどに同期する解説映像／音声を、鑑賞するユーザの年齢／前提知識／言語圏などの分類で収録した映像／音声ストリームを無線ＬＡＮ（Local  Area  Network）などで各ユーザの携帯端末に分配して配信し、各ユーザが携帯端末でそのストリームを選択して受信可能とすることができる。これにより、各ユーザは、任意の言語、任意のコンテンツを選択して視聴することが可能となり、ユーザの要望に沿った解説を最小の設備で得ることができる。
【００６２】
またたとえば、コンテンツ出力システムは、コンテンツ再生時に特定のシーンで関連付けられた携帯端末から音声出力したり発光したりさせることができる。これにより、本コンテンツ出力システムは、一般に流通可能なコンテンツ（映像・音声作品）の表現の幅を容易に広げることができる。たとえば、映画上映中に突然携帯端末を鳴動させるといったイベントを、視聴しているユーザの携帯する携帯端末を用いて実現させることができ、臨場感をより演出することができる。
【００６３】
したがって、本実施の形態にかかるコンテンツ出力システムでは、第２の出力装置３００としての携帯端末のスピーカやイヤホン端子を、メインの出力装置である第１の出力装置２００に対してサブチャンネルとして、第１の出力装置２００で再生されるコンテンツの副次的情報（サブコンテンツ）を出力させることができる。これにより、コンテンツのインタラクティブ性を増加させることができる。
【００６４】
また、第２の出力装置３００に対するユーザ操作がコンテンツ配信装置１００に送信されてその処理に反映されることで、特別な専用機器の導入することなくコンテンツの再生環境やインタラクティブ性をより高度に拡張することができる。
【００６５】
さらに、上述の動作をコンテンツ配信管理装置としての処理装置１０２に実行させるためのプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭ（Random  Access  Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６６】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００６７】
また、本発明にかかるプログラムは他のプログラムの一部に組み込まれて提供されるものであってもよい。その場合にも、プログラム自体には上記他のプログラムに含まれるモジュールが含まれず、他のプログラムと協働して処理が実行される。このような他のプログラムに組み込まれたプログラムも、本発明にかかるプログラムに含まれ得る。
【００６８】
提供されるプログラム製品は、ハードディスクなどのプログラム格納部にインストールされて実行される。なお、プログラム製品は、プログラム自体と、プログラムが記録された記録媒体とを含む。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７０】
１１  再生指示入力部、１２  コンテンツデータ入力部、１３  サブコンテンツ抽出／生成部、１４  サブコンテンツ生成部、１５  サブコンテンツ出力部、１６  同期信号送受信部、１７  対応出力装置記憶部、１００  コンテンツ配信装置、１０１  コンテンツ記憶・読出装置、１０２，２０２，３０２  処理装置、１０３  映像・音声出力インターフェース、１０４，３０１  外部機器通信インターフェース、２００  第１の出力装置、２０１  映像・映像音声入力インターフェース、２０３，３０３  表示部、２０４，３０４  音声出力部、３００  第２の出力装置。
【図１】
2014045413.tif 000003
【図２】
2014045413.tif 000004
【図３】
2014045413.tif 000005
【図４】
2014045413.tif 000006